(57)【要約】【課題】トラックサーチ時に内部処理の負荷を軽減するとともに、操作性を向上させた記録媒体再生装置、記録媒体再生方法、記録媒体再生プログラムおよび記録媒体再生プログラムを格納した記録媒体を提供する。【解決手段】光ディスク再生装置１において、コマンド連続監視タイマ１２ａをマイクロコンピュータ１２内に設けて、コマンド連続監視タイマ１２ａがセットされている際に操作コマンドが入力された場合は、読み出し部２０に対しては何も行わずにコマンド連続監視タイマ１２ａを再セットして表示部１５のトラック番号表示のみ変更し、コマンド連続監視タイマ１２ａがタイムアウトした場合は、ラストキーが指定したトラック番号にサーチさせる。【選択図】図１
2010086580.tif 000002
【特許請求の範囲】
【請求項１】
記録媒体に対する操作コマンドを入力可能な操作手段と、前記操作手段から入力された操作コマンドに基づいて前記記録媒体からデータを読み出して再生する読み出し手段と、前記操作コマンドに応じた結果を表示する表示手段と、を備えた記録媒体再生装置において、
前記操作コマンドが入力されてから予め設定された所定時間内に次の操作コマンドが入力された場合は、前記表示手段に当該次の操作コマンドに応じた結果の表示のみを行わせ、前記所定時間内に次の操作コマンドが入力されない場合は、前記表示手段に最後に入力された操作コマンドに応じた結果を表示させるとともに前記読み出し手段に当該最後に入力された操作コマンドに応じた再生をせしめる再生制御手段と、
を備えたことを特徴とする記録媒体再生装置。
【請求項２】
前記操作コマンドが、前記記録媒体から前記読み出し手段が読み出すデータのトラックを変更するコマンドであることを特徴とする請求項１に記載の記録媒体再生装置。
【請求項３】
前記再生制御手段は、前記データの読み出し中に前記操作コマンドが入力された際には、前記読み出し手段に読み出しを中断させることを特徴とする請求項１または２に記載の記録媒体再生装置。
【請求項４】
記録媒体に対する操作コマンドを入力して、その操作コマンドに基づいて前記記録媒体からデータを読み出して再生するとともに前記操作コマンドに応じた結果を表示する記録媒体再生方法において、
前記操作コマンドが入力されてから予め設定された所定時間内に次の操作コマンドが入力された場合は、当該次の操作コマンドに応じた結果の表示のみを行い、前記所定時間内に次の操作コマンドが入力されない場合は、最後に入力された操作コマンドに応じた結果を表示するとともに当該最後に入力された操作コマンドに応じた再生をすることを特徴とする記録媒体再生方法。
【請求項５】
記録媒体に対する操作コマンドを入力可能な操作手段と、前記操作コマンドに応じた結果を表示する表示手段と、を備えた記録媒体再生装置のコンピュータを、前記操作手段からの操作コマンドに基づいて前記記録媒体からデータを読み出して再生する読み出し手段として機能させる記録媒体再生プログラムにおいて、
前記操作コマンドが入力されてから予め設定された所定時間内に次の操作コマンドが入力された場合は、前記表示手段に当該次の操作コマンドに応じた結果の表示のみを行わせ、前記所定時間内に次の操作コマンドが入力されない場合は、前記表示手段に最後に入力された操作コマンドに応じた結果を表示させるとともに前記読み出し手段に当該最後に入力された操作コマンドに応じた再生をせしめる再生制御手段と、
して前記コンピュータを機能させることを特徴とする記録媒体再生プログラム。
【請求項６】
請求項５に記載の記録媒体再生プログラムを格納したことを特徴とするコンピュータ読み取り可能な記録媒体。
【発明の詳細な説明】
【技術分野】
【０００１】
本発明は、記録媒体に記録された映像などを再生して表示する記録媒体再生装置、記録媒体再生方法、記録媒体再生プログラムおよび記録媒体再生プログラムを格納した記録媒体に関する。
【背景技術】
【０００２】
例えば、ＤＶＤ（Digital Versatile Disc）やＣＤ（Compact Disc）などの記録媒体に記録された音楽や映像などを再生する再生装置などにおいて、所望の曲などのトラックを再生させるためにはトラックサーチを行って所望の曲などのトラックまで移動させて再生している。
【０００３】
従来、トラックサーチは、トラックアップやトラックダウンを示すボタンなどを操作して現在再生されているトラックの次や前のトラックへ移動させたり、数字キーなどを用いて所望のトラック番号を入力して直接移動させる方法などが多く用いられている。
【０００４】
トラックサーチ時に、トラックアップやトラックダウンを示すボタンが操作されると、再生装置内部では、その操作に応じて、光ピックアップなどの読み出し部に対して次（または前）のトラックの位置まで移動させて記録媒体からデータを読み出して再生部などデコードを行わせている。
【０００５】
この場合、複数分のトラックを移動させるためにトラックアップやトラックダウンを示すボタンを連打すると再生装置内の光ピックアップの移動やデコードなどが短時間に頻繁に行われ、そのためにこれらの部分に負荷がかかってしまうという問題があった。
【０００６】
また、内部処理のタイミングによっては、連打の途中のトラックの音が一瞬出力されてしまうことがある。このようなことが発生すると、所望のトラックとは異なる曲の音が出力されてしまい、ユーザが混乱或いは不快に感じてしまうという問題があった。
【０００７】
このような問題に対して、特許文献１には、トラックサーチの操作性を改善させるために、曲数アップキーや曲数ダウンキーなどの押下時間を区別することによりサーチ幅を変化させた再生装置が提案されている。
【特許文献１】特開２００５−３５３１５０号公報
【発明の開示】
【発明が解決しようとする課題】
【０００８】
特許文献１に記載の再生装置は、曲数アップキーや曲数ダウンキーなどの押下時間を区別しているので、どの程度のトラック数をサーチするかは表示部などで確認しながら操作しないと意図したトラックまでサーチできないことがある。これは、例えば車載機器や携帯機器など、表示部を確認しないで操作されることが多い機器では操作性が低下してしまうという問題があった。
【０００９】
そこで、本発明は、トラックサーチ時に内部処理の負荷を軽減するとともに、操作性を向上させた記録媒体再生装置、記録媒体再生方法、記録媒体再生プログラムおよび記録媒体再生プログラムを格納した記録媒体を提供することを課題とする。
【課題を解決するための手段】
【００１０】
上記課題を解決するために、請求項１に記載の記録媒体再生装置は、記録媒体に対する操作コマンドを入力可能な操作手段と、前記操作手段から入力された操作コマンドに基づいて前記記録媒体からデータを読み出して再生する読み出し手段と、前記操作コマンドに応じた結果を表示する表示手段と、を備えた記録媒体再生装置において、前記操作コマンドが入力されてから予め設定された所定時間内に次の操作コマンドが入力された場合は、前記表示手段に当該次の操作コマンドに応じた結果の表示のみを行わせ、前記所定時間内に次の操作コマンドが入力されない場合は、前記表示手段に最後に入力された操作コマンドに応じた結果を表示させるとともに前記読み出し手段に当該最後に入力された操作コマンドに応じた再生をせしめる再生制御手段と、を備えたことを特徴としている。
【００１１】
請求項４に記載の記録媒体再生方法は、記録媒体に対する操作コマンドを入力して、その操作コマンドに基づいて前記記録媒体からデータを読み出して再生するとともに前記操作コマンドに応じた結果を表示する記録媒体再生方法において、前記操作コマンドが入力されてから予め設定された所定時間内に次の操作コマンドが入力された場合は、当該次の操作コマンドに応じた結果の表示のみを行い、前記所定時間内に次の操作コマンドが入力されない場合は、最後に入力された操作コマンドに応じた結果を表示するとともに当該最後に入力された操作コマンドに応じた再生をすることを特徴としている。
【００１２】
請求項５に記載の記録媒体再生プログラムは、記録媒体に対する操作コマンドを入力可能な操作手段と、前記操作コマンドに応じた結果を表示する表示手段と、を備えた記録媒体再生装置のコンピュータを、前記操作手段からの操作コマンドに基づいて前記記録媒体からデータを読み出して再生する読み出し手段として機能させる記録媒体再生プログラムにおいて、前記操作コマンドが入力されてから予め設定された所定時間内に次の操作コマンドが入力された場合は、前記表示手段に当該次の操作コマンドに応じた結果の表示のみを行わせ、前記所定時間内に次の操作コマンドが入力されない場合は、前記表示手段に最後に入力された操作コマンドに応じた結果を表示させるとともに前記読み出し手段に当該最後に入力された操作コマンドに応じた再生をせしめる再生制御手段と、して前記コンピュータを機能させることを特徴としている。
【発明を実施するための最良の形態】
【００１３】
以下、本発明の一実施形態にかかる記録媒体再生装置を説明する。本発明の一実施形態にかかる記録媒体再生装置は、再生制御手段が、操作コマンドが入力されてから予め設定された所定時間内に次の操作コマンドが入力された場合は、表示手段に次の操作コマンドに応じた結果の表示のみを行わせ、所定時間内に次の操作コマンドが入力されない場合は、表示手段に最後に入力された操作コマンドに応じた結果を表示させるとともに読み出し手段に最後に入力された操作コマンドに応じた再生をせしめるので、トラックアップやトラックダウンを示すコマンドが連打された場合に、連打間隔が所定時間内の場合は記録媒体へのアクセスなどの処理を行わずに表示手段の表示変更のみを行い、所定時間内に次の操作が行われないときに最後に入力された操作コマンドに従って記録媒体へのアクセスなどの内部処理を行うために、ボタンが連打された場合でも連打の最後の押下に対応したトラックにサーチさせることができるとともにサーチする時に内部処理の負荷を軽減することができ、ボタン連打中にトラックの音声が再生されることも無く操作性を向上させることができる。
【００１４】
また、操作コマンドが、前記読み出し手段が読み出す前記記録媒体のデータのトラックを変更するコマンドであってもよい。このようにすることにより、トラックアップやトラックダウンを示すコマンド以外に、数字キーなどを用いて所望のトラック番号を入力して直接移動させる方法やランダム再生などトラックの移動を伴うサーチ操作において内部処理の負荷を軽減することができる。
【００１５】
また、再生制御手段は、データの読み出し中に前記操作コマンドが入力された際には、読み出し手段に読み出しを中断させてもよい。このようにすることにより、読み出し手段に操作コマンドに応じたサーチ動作の準備を行わせることができる。
【００１６】
また、本発明の一実施形態にかかる記録媒体再生方法は、操作コマンドが入力されてから予め設定された所定時間内に次の操作コマンドが入力された場合は、次の操作コマンドに応じた結果の表示のみを行わせ、所定時間内に次の操作コマンドが入力されない場合は、最後に入力された操作コマンドに応じた結果を表示させるとともに最後に入力された操作コマンドに応じた再生するので、トラックアップやトラックダウンを示すコマンドが連打された場合に、連打間隔が所定時間内の場合は記録媒体へのアクセスなどの処理を行わずに表示変更のみを行い、所定時間内に次の操作が行われないときに最後に入力された操作コマンドに従って記録媒体へのアクセスなどの内部処理を行うために、ボタンが連打された場合でも連打の最後の押下に対応したトラックにサーチさせることができるとともにサーチする時に内部処理の負荷を軽減することができ、ボタン連打中にトラックの音声が再生されることも無く操作性を向上させることができる。
【００１７】
また、本発明の一実施形態にかかる記録媒体再生プログラムは、再生制御手段が、操作コマンドが入力されてから予め設定された所定時間内に次の操作コマンドが入力された場合は、表示手段に次の操作コマンドに応じた結果の表示のみを行わせ、所定時間内に次の操作コマンドが入力されない場合は、表示手段に最後に入力された操作コマンドに応じた結果を表示させるとともに読み出し手段に最後に入力された操作コマンドに応じた再生をせしめるので、トラックアップやトラックダウンを示すコマンドが連打された場合に、連打間隔が所定時間内の場合は記録媒体へのアクセスなどの処理を行わずに表示手段の表示変更のみを行い、所定時間内に次の操作が行われないときに最後に入力された操作コマンドに従って記録媒体へのアクセスなどの内部処理を行うために、ボタンが連打された場合でも連打の最後の押下に対応したトラックにサーチさせることができるとともにサーチする時に内部処理の負荷を軽減することができ、ボタン連打中にトラックの音声が再生されることも無く操作性を向上させることができる。
【００１８】
また、上述した記録媒体再生プログラムをコンピュータ読み取り可能な記録媒体に格納してもよい。このようにすることにより、記録媒体再生プログラムを機器に組み込む以外に単体でも流通させることができ、バージョンアップ等も容易に行える。
【実施例】
【００１９】
本発明の一実施例にかかる記録媒体再生装置としての光ディスク再生装置１を図１乃至図４を参照して説明する。光ディスク再生装置１は、ＣＤ、ＤＶＤなどの光ディスク１６が再生可能な装置であり、図１に示すようにディスクモータ２と、光ピックアップ３と、キャリッジモータ４と、リードスクリュー５と、ＲＦアンプ６と、サーボ信号処理部７と、ドライバ８と、音声／映像信号処理部９と、メモリ１０と、ＤＡコンバータ１１と、マイクロコンピュータ１２と、音声信号／映像信号出力端子１３とを備えている。
【００２０】
ディスクモータ２は、光ディスク再生装置１にセットされた光ディスク１６を回転させるためのモータであり、スピンドルモータなどで構成されている。
【００２１】
光ピックアップ３は、光ディスク１６に照射するレーザ光を発生させるレーザダイオードや、光ディスク１６上にレーザダイオードからのレーザ光を集光するための対物レンズ、サーボ信号処理部７からの信号によりフォーカス方向やトラッキング方向に対物レンズを駆動するためのアクチュエータおよび光ディスク１６から反射された反射光を受けるフォトダイオードや、レーザ光を対物レンズへ導いたり、反射光を受光器へ導く光学系などを備え、フォトダイオードの出力から光ディスク１６に記録されている映像や音楽などのトラックデータを含むＲＦ信号やフォーカスエラー信号およびトラッキングエラー信号などを生成しＲＦアンプ６へ出力する。
【００２２】
キャリッジモータ４は、後述するリードスクリュー５を通じて光ピックアップ３を光ディスク１６の径方向に移動させるためのモータでありステッピングモータなどで構成されている。
【００２３】
リードスクリュー５は、円柱状に形成されてその外周面にネジ溝とネジ山が形成され、光ディスク１６の径方向と平行に設置されている。リードスクリュー５は、キャリッジモータ４の回転軸と機械的に接続されておりキャリッジモータ４の回転に合わせて回転する。リードスクリュー５のネジ溝やネジ山は光ピックアップ３のケース３ａに形成された図示しないネジ山やネジ溝と噛み合っており、リードスクリュー５が回転することで光ピックアップ３が光ディスク１６の径方向に沿って移動する。
【００２４】
ＲＦアンプ６は、光ピックアップ３から入力される信号を所定の値に増幅し、サーボ信号処理部７へ出力する。
【００２５】
サーボ信号処理部７は、ＲＦアンプ６から入力されるフォーカスエラー信号やトラッキングエラー信号などの制御信号を基に光ピックアップ３のアクチュエータを駆動させてフォーカスおよびトラッキングの制御などを行い光ディスク１６に記録された情報を正確に読めるようにする。また、入力されたフォーカスエラー信号のレベルをマイクロコンピュータ１２へ出力する。さらに、光ディスク１６に記録された映像や音楽などを含むＲＦ信号をアナログ／デジタル変換して音声／映像信号処理部９へ出力する。
【００２６】
ドライバ８は、サーボ信号処理部７から入力された信号からディスクモータ２および光ピックアップ３のアクチュエータ３ｂおよびキャリッジモータ４への駆動信号を生成し出力する。
【００２７】
音声／映像信号処理部９は、サーボ信号処理部７から入力された信号にエラー訂正などを行った後復調やデコードを行いメモリ１０へ出力する。そしてマイクロコンピュータ１２からの要求に従ってメモリ１０から読み出してＤＡコンバータ１１へ出力する。
【００２８】
メモリ１０は、音声／映像信号処理部９で再生された音声などのデータを所定量（数秒ないし十秒程度）一時的に格納するためのメモリであり、半導体メモリで構成される。
【００２９】
ＤＡコンバータ１１は、メモリ１０に格納されたデータが入力され、そのデジタル信号であるデータをアナログ信号に変換し音声信号／映像信号出力端子１３から出力する。
【００３０】
再生制御手段としてのマイクロコンピュータ１２は、ＣＰＵ（Central Processing Unit）と、ＲＡＭ（Random Access Memory）と、ＲＯＭ（Read Only Memory）とを内蔵し、光ディスク１６の挿入や排出、再生や停止およびトラックサーチなどの各操作における光ディスク再生装置１全体の制御など行う。また、マイクロコンピュータ１２内にはコマンド連続監視タイマ１２ａが設けられている。コマンド連続監視タイマ１２ａは、操作部１４から入力される操作コマンドが連続して入力されているか、つまりボタン等が連打されているかを判定するためのタイマであり、予め定めた所定時間に設定されている。
【００３１】
操作手段としての操作部１４は、例えば光ディスク再生装置１の前面などに設けられた複数のボタン等で構成され、ユーザが光ディスク再生装置１に対する各種操作を行い、その操作に対応した操作コマンドをマイクロコンピュータ１２へ出力する。
【００３２】
表示手段としての表示部１５は、例えば液晶ディスプレイや蛍光表示管などで構成され、光ディスク再生装置１の動作状態や再生されているトラック番号などを表示する。
【００３３】
ここで、ディスクモータ２、光ピックアップ３、キャリッジモータ４、リードスクリュー５、ＲＦアンプ６、サーボ信号処理部７、ドライバ８、音声／映像信号処理部９で読み出し部２０を構成する。
【００３４】
次に、上述した構成の光ディスク再生装置１におけるサーチ動作を図２乃至図４を参照して説明する。
【００３５】
図２は、サーチ動作時に操作ボタンを連打した際のシーケンス図である。図２は、操作部１４、表示部１５と、マイクロコンピュータ１２と、読み出し部２０と、の関係を示している。
【００３６】
ここで、初期状態としてトラック１（Ｔｒａｃｋ１）が再生されている場合にユーザが操作部１４のトラックアップボタンを押下すると、操作コマンドとしてＴｒａｃｋ＿ＵＰコマンドがマイクロコンピュータ１２に入力される。マイクロコンピュータ１２では、コマンド連続監視タイマ１２ａがセット（起動）されるとともに、Ｔｒａｃｋ＿ＵＰコマンドの結果であるトラック２へのサーチを記憶して、表示部１５に対してトラック番号としてトラック２を表示するように指示する。そして、読み出し部２０に対してサーチ準備依頼を行う（処理Ｃ）。具体的には光ピックアップ３、キャリッジモータ４に対してはドライバ８を介して、サーボ信号処理部７に対しては直接光ディスク１６からのデータの読み出しを中断するように指示し、音声／映像信号処理部９に対しては読み出されたデータのデコード動作などを中断させる。読み出し手段２０は、マイクロコンピュータ１２からのサーチ準備依頼に対してデータの読み出しやデコードを中断（ポーズ状態）し、マイクロコンピュータ１２にサーチ準備ができたことを返答する（処理Ｄ）。
【００３７】
次に、コマンド連続監視タイマ１２ａが起動中にユーザが操作部１４のトラックアップボタンを押下すると、操作コマンドとしてＴｒａｃｋ＿ＵＰコマンドがマイクロコンピュータ１２に入力される。マイクロコンピュータ１２では、コマンド連続監視タイマ１２ａが一旦リセットされた後再度セット（再起動）されるとともに、表示部１５に対してトラック番号としてトラック３を表示するように指示する。このとき、読み出し部２０に対しては何も行なわずに中断を継続させる（処理Ｃ）。つまり、コマンド連続監視タイマ１２ａが起動中にＴｒａｃｋ＿ＵＰコマンドが入力された場合は操作部１４のボタン等が連打されたと判断している。すなわち、操作コマンドが入力されてから予め設定された所定時間内に次の操作コマンドが入力された場合は、表示部１５に当該次の操作コマンドに応じた結果の表示のみを行わせている。
【００３８】
次に、コマンド連続監視タイマ１２ａが起動中にユーザが操作部１４のトラックアップボタンを押下すると、操作コマンドとしてＴｒａｃｋ＿ＵＰコマンドがマイクロコンピュータ１２に入力される。マイクロコンピュータ１２では、コマンド連続監視タイマ１２ａが一旦リセットされた後再度セット（再起動）されるとともに、表示部１５に対してトラック番号としてトラック４を表示するように指示する。但し、読み出し部２０に対しては何も行なわずに中断を継続させる（処理Ｃ）。
【００３９】
次に、コマンド連続監視タイマ１２ａが起動中にユーザが操作部１４のトラックアップボタンを押下すると、操作コマンドとしてＴｒａｃｋ＿ＵＰコマンドがマイクロコンピュータ１２に入力される。マイクロコンピュータ１２では、コマンド連続監視タイマ１２ａが一旦リセットされた後再度セット（再起動）されるとともに、表示部１５に対してトラック番号としてトラック５を表示するように指示する。そして、コマンド連続監視タイマ１２ａがタイムアウトした時点で表示部１５に表示されているサーチ位置、つまり最後の操作コマンドの結果であるトラック５にサーチするように読み出し部２０に対してサーチ実行依頼を行う（処理Ｅ）。読み出し部２０は、マイクロコンピュータ１２からのサーチ実行依頼に対して依頼されたサーチ位置でデータの読み出しやデコードを再開（ポーズ状態）し、マイクロコンピュータ１２にサーチ再開したことを返答する（処理Ｆ）。すなわち、所定時間内に次の操作コマンドが入力されない場合は、表示部１５に最後に入力された操作コマンドに応じた結果を表示させるとともに読み出し部２０に当該最後に入力された操作コマンドに応じた再生をせしめている。
【００４０】
以上のシーケンスに示したように動作することで、コマンド連続監視タイマ１２ａ動作中のトラックアップコマンドは表示部１５の更新のみで、読み出し部２０は処理を行わないようにすることができる。また、図２では操作コマンドとしてトラックアップコマンドで説明したが、トラックダウンコマンドやランダム再生を指示するコマンド（ランダムコマンド）および数字キーなどで指定された番号のトラックに直接移動させるコマンド（ダイレクトコマンド）などといったサーチコマンドにおいても同様に適用することができる。さらには、これらのコマンドが連打の中に混在してもよい。例えば、トラックアップコマンド、トラックアップコマンド、ランダムコマンドと連打された場合は、最後のランダムコマンドに基づいてサーチされる。すなわち、光ディスク１６から読み出し部２０が読み出すデータのトラックを変更するコマンドであればよい。
【００４１】
図３に上述した処理Ｃの詳細動作のフローチャートを、図４に処理Ｅの詳細動作のフローチャートを示す。
【００４２】
まず処理Ｃについて説明する。図３のステップＳ１０１において、操作部１４から操作コマンド（コマンド種別）を取得してステップＳ１０２に進む。
【００４３】
次に、ステップＳ１０２において、ステップＳ１０１で取得したコマンド種別を判断して、トラックアップコマンドであった場合はステップＳ１０３に進み、トラックダウンコマンドであった場合はステップＳ１０４に進み、ランダムコマンドであった場合はステップＳ１０５に進み、ダイレクトコマンドであった場合はステップＳ１０６に進む。
【００４４】
次に、ステップＳ１０３において、トラック番号を現在の番号に１を加算した値に変更してステップＳ１０７に進む。なお、現在の番号が最大トラックである場合は、最初のトラックに変更する。
【００４５】
ステップＳ１０４においては、トラック番号を現在の番号から１を減算した値に変更してステップＳ１０７に進む。なお、現在の番号が最小トラックである場合は、最大のトラックに変更する。
【００４６】
ステップＳ１０５においては、トラック番号を乱数によって求めた値に変更してステップＳ１０７に進む。
【００４７】
ステップＳ１０６においては、トラック番号を操作部１４から指定された値に変更してステップＳ１０７に進む。
【００４８】
次に、ステップＳ１０７において、ステップＳ１０３乃至ステップＳ１０６で変更したトラック番号を表示部１５に表示させたために出力してステップＳ１０８に進む。
【００４９】
次に、ステップＳ１０８において、コマンド連続監視タイマ１２ａがセットされているか否かを判断し、セットされている場合（Ｙｅｓの場合）はステップＳ１１０に進み、セットされていない場合（Ｎｏの場合）はステップＳ１０９に進む。
【００５０】
次に、ステップＳ１０９において、コマンド連続監視タイマ１２ａがセットされていないことから初回のコマンド入力であると判断して読み出し部２０に対してサーチ準備を依頼（すなわち処理Ｄの実行を指示）してステップＳ１１０に進む。
【００５１】
次に、ステップＳ１１０において、コマンド連続監視タイマ１２ａをセットして終了する。
【００５２】
次に処理Ｅについて説明する。まず、図４のステップＳ２０１において、コマンド連続監視タイマ１２ａがタイムアウトしたか否か判断し、タイムアウトした場合（Ｙｅｓの場合）は、ステップＳ２０２に進み、タイムアウトしていない場合（Ｎｏの場合）は終了する。
【００５３】
次に、ステップＳ２０２において、ラストキーが指定したトラック番号を取得してステップＳ２０３に進む。ラストキーとは、コマンド連続監視タイマ１２ａがタイムアウトする直前に入力された操作コマンド（最後に入力された操作コマンド）であり、ラストキーに応じた結果は現在表示部１５で表示されているトラック番号である。
【００５４】
次に、ステップＳ２０３において、読み出し部２０に対してラストキーが指定したトラックへサーチ実行依頼（すなわち処理Ｆの実行を指示）して終了する。つまり、ラストキーの結果として表示部１５に表示されているトラック番号を再生させている。
【００５５】
本実施例によれば、光ディスク再生装置１において、コマンド連続監視タイマ１２ａをマイクロコンピュータ１２内に設けて、コマンド連続監視タイマ１２ａがセットされている際に操作コマンドが入力された場合は、読み出し部２０に対しては何も行わずにコマンド連続監視タイマ１２ａを再セットして表示部１５のトラック番号表示のみ変更し、コマンド連続監視タイマ１２ａがタイムアウトした場合は、ラストキーが指定したトラック番号にサーチさせているので、操作部１４のボタン等が連打されても、コマンド連続監視タイマ１２ａが起動中は読み出し部２０での光ピックアップ３の移動やデコード動作などが行われずに内部処理の負荷を軽減することができる。
【００５６】
また、コマンド連続監視タイマ１２ａ起動中の操作コマンドは表示部１５のみに反映されているので、操作部１４の操作に合わせて表示を変更することができ、ユーザに対して操作が受け付けられたことを示すことができる。
【００５７】
なお、コマンド連続監視タイマ１２ａの設定時間は予め定めた任意の所定時間としているが、例えば、操作部１４のボタン等の連打間隔を学習してその平均時間を設定時間としてもよい。
【００５８】
また、上述した実施例は記録媒体として光ディスクで説明したが、ハードディスクに適用してもヘッドの移動の負荷を軽減することができる。また、半導体メモリを用いた記録媒体に適用してもデコード処理の負荷を低減させることができる。
【００５９】
また、上述した実施例はトラックを曲単位として説明したが、ＤＶＤなど映像が記録されている記録媒体の場合、チャプタをトラックに相当するものとして扱えばよい。
【００６０】
前述した実施例によれば、以下の光ディスク再生装置１、記録媒体再生方法および記録媒体再生プログラムが得られる。
【００６１】
（付記１）光ディスク１６に対する操作コマンドを入力可能な操作部１４と、操作部１４からの操作コマンドに基づいて光ディスク１６からデータを読み出して再生する読み出し部２０と、操作コマンドに応じた結果を表示する表示部１５と、を備えた光ディスク再生装置１において、
操作コマンドが入力されてから予め設定された所定時間内に次の操作コマンドが入力された場合は、表示部１５に当該次の操作コマンドに応じた結果の表示のみを行わせ、所定時間内に次の操作コマンドが入力されない場合は、表示部１５に最後に入力された操作コマンドに応じた結果を表示させるとともに読み出し部２０に当該最後に入力された操作コマンドに応じた再生をせしめるマイクロコンピュータ１２と、
を備えたことを特徴とする光ディスク再生装置１。
【００６２】
この光ディスク再生装置１によれば、トラックアップやトラックダウンを示すコマンドが連打された場合に、連打間隔が所定時間内の場合は記録媒体へのアクセスなどの処理を行わずに表示部１５の表示変更のみを行い、所定時間内に次の操作が行われないときに最後に入力された操作コマンドに従って光ディスク１６へのアクセスなどの内部処理を行うために、ボタンが連打された場合でも連打の最後の押下に対応したトラックにサーチさせることができるとともにサーチする時に内部処理の負荷を軽減することができ、ボタン連打中にトラックの音声が再生されることも無く操作性を向上させることができる。
【００６３】
（付記２）光ディスク１６に対する操作コマンドを入力して、その操作コマンドに基づいて光ディスク１６からデータを読み出して再生するとともに前記操作コマンドに応じた結果を表示する記録媒体再生方法において、
操作コマンドが入力されてから予め設定された所定時間内に次の操作コマンドが入力された場合は、当該次の操作コマンドに応じた結果の表示のみを行い、所定時間内に次の操作コマンドが入力されない場合は、最後に入力された操作コマンドに応じた結果を表示するとともに当該最後に入力された操作コマンドに応じた再生をすることを特徴とする記録媒体再生方法。
【００６４】
この記録媒体再生方法によれば、連打間隔が所定時間内の場合は記録媒体へのアクセスなどの処理を行わずに表示変更のみを行い、所定時間内に次の操作が行われないときに最後に入力された操作コマンドに従って光ディスク１６へのアクセスなどの内部処理を行うために、ボタンが連打された場合でも連打の最後の押下に対応したトラックにサーチさせることができるとともにサーチする時に内部処理の負荷を軽減することができ、ボタン連打中にトラックの音声が再生されることも無く操作性を向上させることができる。
【００６５】
（付記３）光ディスク１６と、光ディスク１６に対する操作コマンドを入力可能な操作部１４と、操作コマンドに応じた結果を表示する表示部１５と、を備えた記録媒体再生装置のコンピュータを、操作部１４からの操作コマンドに基づいて光ディスク１６からデータを読み出して再生する光ピックアップ３、サーボ信号処理部７、ドライバ８、音声／映像信号処理部９として機能させる記録媒体再生プログラムにおいて、
操作コマンドが入力されてから予め設定された所定時間内に次の操作コマンドが入力された場合は、表示部１５に当該次の操作コマンドに応じた結果の表示のみを行わせ、所定時間内に次の操作コマンドが入力されない場合は、表示部１５に最後に入力された操作コマンドに応じた結果を表示させるとともに読み出し部２０に当該最後に入力された操作コマンドに応じた再生をせしめるマイクロコンピュータ１２と、
して前記コンピュータを機能させることを特徴とする記録媒体再生プログラム。
【００６６】
この記録媒体再生プログラムによれば、連打間隔が所定時間内の場合は記録媒体へのアクセスなどの処理を行わずに表示部１５の表示変更のみを行い、所定時間内に次の操作が行われないときに最後に入力された操作コマンドに従って光ディスク１６へのアクセスなどの内部処理を行うために、ボタンが連打された場合でも連打の最後の押下に対応したトラックにサーチさせることができるとともにサーチする時に内部処理の負荷を軽減することができ、ボタン連打中にトラックの音声が再生されることも無く操作性を向上させることができる。
【００６７】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００６８】
【図１】本発明の一実施例にかかる光ディスク再生装置のブロック図である。
【図２】図１に示された光ディスク再生装置におけるサーチ動作時に操作ボタンを連打した際のシーケンス図である。
【図３】図２に示されたシーケンス図における処理Ｃの動作を示したフローチャートである。
【図４】図２に示されたシーケンス図における処理Ｃの動作を示したフローチャートである。
【符号の説明】
【００６９】
１        光ディスク再生装置（記録媒体再生装置）
１２      マイクロコンピュータ（再生制御手段）
１５      表示部（表示手段）
１６      光ディスク（記録媒体）
２０      読み出し部（読み出し手段）
【図１】
2010086580.tif 000003
【図２】
2010086580.tif 000004
【図３】
2010086580.tif 000005
【図４】
2010086580.tif 000006